(57)【特許請求の範囲】
【請求項１】
鉄骨柱下側の躯体支柱、前記躯体支柱の上部に設けられる躯体梁および床スラブを有する鉄筋コンクリート製の躯体構造物を構築する鉄筋コンクリート製の躯体構造物の構築方法であって、
前記躯体支柱を成形する柱型枠を前記躯体支柱の柱鉄筋組立体の外側に配置する工程と、
水平方向に隣り合う前記躯体支柱の上端部相互間に構築される前記躯体梁を成形する梁型枠を前記柱型枠に取り付ける工程と、
前記床スラブ用のスラブ型枠を前記梁型枠に取り付ける工程と、
四辺形の下側枠体と四辺形の上側枠体、および前記下側枠体と前記上側枠体とを連結する複数本のアンカーボルトを有し、建築物の鉄骨柱が連結されるアンカーボルトフレームを、前記柱鉄筋組立体に上下動自在に配置する工程と、
前記アンカーボルトフレームの前記下側枠体の上を水平に伸びる上側の梁鉄筋と、前記アンカーボルトフレームの前記下側枠体の下を水平に伸びる下側の梁鉄筋と、それぞれの前記梁鉄筋に結束されるスターラップ筋とを有する梁鉄筋組立体を組み立てる工程と、
前記アンカーボルトフレームを下降移動させて前記梁鉄筋組立体を前記梁型枠の内部に収容する工程とを有し、
前記柱鉄筋組立体は前記躯体支柱の内側部に設けられるアンカー受け架台と、当該アンカー受け架台の外側に設けられ、フープ筋により結束される柱主筋とを有し、前記アンカーボルトフレームを前記アンカー受け架台に装着するようにしたことを特徴とする鉄筋コンクリート製の躯体構造物の構築方法。
【請求項２】
請求項１記載の鉄筋コンクリート製の躯体構造物の構築方法において、前記アンカー受け架台の上端部を上下動自在に貫通するガイドロッドを前記アンカーボルトフレームに設け、前記アンカーボルトフレームを上下動させるときに前記ガイドロッドにより前記アンカーボルトフレームを案内することを特徴とする鉄筋コンクリート製の躯体構造物の構築方法。
【請求項３】
鉄骨柱下側の躯体支柱、前記躯体支柱の上部に設けられる躯体梁および床スラブを有する鉄筋コンクリート製の躯体構造物を構築する鉄筋コンクリート製の躯体構造物の構築方法であって、
前記躯体支柱を成形する柱型枠を前記躯体支柱の柱鉄筋組立体の外側に配置する工程と、
水平方向に隣り合う前記躯体支柱の上端部相互間に構築される前記躯体梁を成形する梁型枠を前記柱型枠に取り付ける工程と、
前記床スラブ用のスラブ型枠を前記梁型枠に取り付ける工程と、
四辺形の下側枠体と四辺形の上側枠体、および前記下側枠体と前記上側枠体とを連結する複数本のアンカーボルトを有し、建築物の鉄骨柱が連結されるアンカーボルトフレームを、前記柱鉄筋組立体に上下動自在に配置する工程と、
前記アンカーボルトフレームの前記下側枠体の上を水平に伸びる上側の梁鉄筋と、前記アンカーボルトフレームの前記下側枠体の下を水平に伸びる下側の梁鉄筋と、それぞれの前記梁鉄筋に結束されるスターラップ筋とを有する梁鉄筋組立体を組み立てる工程と、
前記アンカーボルトフレームを下降移動させて前記梁鉄筋組立体を前記梁型枠の内部に収容する工程とを有し、
前記アンカーボルトフレームを上下動自在に支持するアンカー受けフレームを前記柱型枠の上端部に装着し、前記アンカーボルトフレームを前記柱型枠に前記アンカー受けフレームを介して装着することを特徴とする鉄筋コンクリート製の躯体構造物の構築方法。
【請求項４】
請求項３記載の鉄筋コンクリート製の躯体構造物の構築方法において、前記アンカー受けフレームを貫通するガイドロッドを前記アンカーボルトフレームに設け、前記アンカーボルトフレームを上下動させるときに前記ガイドロッドにより前記アンカーボルトフレームを案内することを特徴とする鉄筋コンクリート製の躯体構造物の構築方法。
【請求項５】
請求項１〜４のいずれか１項に記載の鉄筋コンクリート製の躯体構造物の構築方法において、前記梁型枠にその上端に連なって設けられたスラブ型枠の上に配置される吊り上げ機により前記アンカーボルトフレームを上下動させることを特徴とする鉄筋コンクリート製の躯体構造物の構築方法。
【請求項６】
請求項１〜５のいずれか１項に記載の鉄筋コンクリート製の躯体構造物の構築方法において、前記梁型枠にその上端に連なって設けられたスラブ型枠の上に配置される鉄筋吊り架台により前記アンカーボルトフレームを上昇させた状態で支持することを特徴とする鉄筋コンクリート製の躯体構造物の構築方法。
【発明の詳細な説明】
【技術分野】
【０００１】
本発明は、アンカーボルトが埋め込まれる鉄筋コンクリート製の躯体構造物の構築方法に関する。
【背景技術】
【０００２】
商業施設やオフィスビル等の建築物を建築する場合には、特許文献１、２に記載されるように、アンカーボルトが設けられたアンカーボルトフレームを鉄筋コンクリート造の躯体構造物に埋め込み、その躯体構造物と建築物とをアンカーボルトにより連結するようにしている。アンカーボルトは躯体構造物を構成する躯体支柱に上端部を突出させて埋め込まれ、建築物の鉄骨柱がその柱脚部でアンカーボルトの上端部に連結される。
【先行技術文献】
【特許文献】
【０００３】
【特許文献１】特開２０００−３１９９００号公報
【特許文献２】特開平１０−２０４８９２号公報
【発明の概要】
【発明が解決しようとする課題】
【０００４】
上述のように、建築物が建築される鉄筋コンクリート造つまり鉄筋コンクリート製の躯体構造物は、建築物の鉄骨柱を支持する躯体支柱と、この躯体支柱の上端部に連結される鉄筋コンクリート製の躯体梁と、躯体梁に取り付けられる鉄筋コンクリート製の床板つまり床スラブとを有している。このような躯体構造物を構築するには、躯体支柱を構成する柱鉄筋組立体、躯体梁を構成する梁鉄筋組立体、および床スフラブを構成するスラブ鉄筋組立体をそれぞれ組み立てるとともに、それぞれの鉄筋組立体には型枠が配置される。型枠が配置された状態のもとで型枠にはコンクリートが流し込まれ、コンクリートと鉄筋組立体とからなる躯体構造物が構築される。
【０００５】
例えば、躯体梁を構成する梁鉄筋組立体は、水平方向の複数の梁鉄筋と垂直方向の複数のスターラップ筋とを連結つまり結束することによりを組み立てられる。この結束作業は、躯体梁の高さつまり階高によっては、躯体構造物の側面に仮設足場を設けて、その上に作業者が乗って行うので、作業者は不安定な姿勢で組立作業を行わなければならず、組立作業性が大きく相違することになる。
【０００６】
本発明の目的は、鉄筋コンクリート製の躯体構造物を短期間で効率的に構築し得るようにすることにある。
【課題を解決するための手段】
【０００７】
本発明の鉄筋コンクリート製の躯体構造物の構築方法は、鉄骨柱下側の躯体支柱、前記躯体支柱の上部に設けられる躯体梁および床スラブを有する鉄筋コンクリート製の躯体構造物を構築する鉄筋コンクリート製の躯体構造物の構築方法であって、前記躯体支柱を成形する柱型枠を前記躯体支柱の柱鉄筋組立体の外側に配置する工程と、水平方向に隣り合う前記躯体支柱の上端部相互間に構築される前記躯体梁を成形する梁型枠を前記柱型枠に取り付ける工程と、前記床スラブ用のスラブ型枠を前記梁型枠に取り付ける工程と、四辺形の下側枠体と四辺形の上側枠体、および前記下側枠体と前記上側枠体とを連結する複数本のアンカーボルトを有し、建築物の鉄骨柱が連結されるアンカーボルトフレームを、前記柱鉄筋組立体に上下動自在に配置する工程と、前記アンカーボルトフレームの前記下側枠体の上を水平に伸びる上側の梁鉄筋と、前記アンカーボルトフレームの前記下側枠体の下を水平に伸びる下側の梁鉄筋と、それぞれの前記梁鉄筋に結束されるスターラップ筋とを有する梁鉄筋組立体を組み立てる工程と、前記アンカーボルトフレームを下降移動させて前記梁鉄筋組立体を前記梁型枠の内部に収容する工程とを有し、前記柱鉄筋組立体は前記躯体支柱の内側部に設けられるアンカー受け架台と、当該アンカー受け架台の外側に設けられ、フープ筋により結束される柱主筋とを有し、前記アンカーボルトフレームを前記アンカー受け架台に装着するようにしたことを特徴とする。本発明の鉄筋コンクリート製の躯体構造物の構築方法は、前記アンカー受け架台の上端部を上下動自在に貫通するガイドロッドを前記アンカーボルトフレームに設け、前記アンカーボルトフレームを上下動させるときに前記ガイドロッドにより前記アンカーボルトフレームを案内することを特徴とする。
【０００８】
本発明の鉄筋コンクリート製の躯体構造物の構築方法は、鉄骨柱下側の躯体支柱、前記躯体支柱の上部に設けられる躯体梁および床スラブを有する鉄筋コンクリート製の躯体構造物を構築する鉄筋コンクリート製の躯体構造物の構築方法であって、前記躯体支柱を成形する柱型枠を前記躯体支柱の柱鉄筋組立体の外側に配置する工程と、水平方向に隣り合う前記躯体支柱の上端部相互間に構築される前記躯体梁を成形する梁型枠を前記柱型枠に取り付ける工程と、前記床スラブ用のスラブ型枠を前記梁型枠に取り付ける工程と、四辺形の下側枠体と四辺形の上側枠体、および前記下側枠体と前記上側枠体とを連結する複数本のアンカーボルトを有し、建築物の鉄骨柱が連結されるアンカーボルトフレームを、前記柱鉄筋組立体に上下動自在に配置する工程と、前記アンカーボルトフレームの前記下側枠体の上を水平に伸びる上側の梁鉄筋と、前記アンカーボルトフレームの前記下側枠体の下を水平に伸びる下側の梁鉄筋と、それぞれの前記梁鉄筋に結束されるスターラップ筋とを有する梁鉄筋組立体を組み立てる工程と、前記アンカーボルトフレームを下降移動させて前記梁鉄筋組立体を前記梁型枠の内部に収容する工程とを有し、前記アンカーボルトフレームを上下動自在に支持するアンカー受けフレームを前記柱型枠の上端部に装着し、前記アンカーボルトフレームを前記柱型枠に前記アンカー受けフレームを介して装着することを特徴とする。本発明の鉄筋コンクリート製の躯体構造物の構築方法は、前記アンカー受けフレームを貫通するガイドロッドを前記アンカーボルトフレームに設け、前記アンカーボルトフレームを上下動させるときに前記ガイドロッドにより前記アンカーボルトフレームを案内することを特徴とする。
【０００９】
本発明の鉄筋コンクリート製の躯体構造物の構築方法は、前記梁型枠にその上端に連なって設けられたスラブ型枠の上に配置される吊り上げ機により前記アンカーボルトフレームを上下動させることを特徴とする。本発明の鉄筋コンクリート製の躯体構造物の構築方法は、前記梁型枠にその上端に連なって設けられたスラブ型枠の上に配置される鉄筋吊り架台により前記アンカーボルトフレームを上昇させた状態で支持することを特徴とする。
【発明の効果】
【００１０】
本発明によれば、鉄筋コンクリート製の躯体構造物を構成する梁鉄筋組立体は、躯体支柱に建築物の鉄骨柱を連結するために使用されるアンカーボルトフレームをスラブ型枠の表面よりも上方に突出した状態としてスラブ型枠の上に乗った作業者により組み立てられる。組立終了後には梁鉄筋組立体は下降移動されて梁型枠内に収容される。梁鉄筋組立体をスラブ型枠の表面よりも突出させた状態で組み立てることにより、その組立作業性が向上し、躯体構造物を短期間に安全に効率的に構築することができる。これにより、鉄筋コンクリート製の躯体構造物の構築を少ない日数で低コストで安全に行うことができる。
【図面の簡単な説明】
【００１１】
【図１】鉄筋コンクリート製の躯体構造物を構築するための型枠とこれに配置される梁鉄筋組立体の配置パターンを示す平面図である。
【図２】図１におけるＡ−Ａ線方向の断面図である。
【図３】（Ａ）はアンカーボルトフレームが装着されたアンカー受け架台を地下床面に取り付けた状態を示す正面図であり、（Ｂ）はアンカー受け架台の外側にフープ筋により結束された柱主筋を配置して柱鉄筋組立体を構築した状態を示す正面図である。
【図４】（Ａ）は柱鉄筋組立体の外側に柱型枠を配置するとともに柱型枠に梁型枠とスラブ型枠とを取り付けた後に、アンカーボルトフレームを上昇移動させた状態を示す正面側断面図であり、（Ｂ）は（Ａ）におけるＢ−Ｂ線方向の断面図であり、（Ｃ）は（Ａ）におけるＣ−Ｃ線方向の断面図である。
【図５】梁鉄筋組立体の組み立てる工程を示す正面側断面図である。
【図６】図５の一部を拡大して示す拡大断面図である。
【図７】図６における梁鉄筋組立体の配置状態を示す平面図である。
【図８】他の形態の柱鉄筋組立体を示す断面図である。
【発明を実施するための形態】
【００１２】
以下、本発明の実施の形態を図面に基づいて詳細に説明する。鉄筋コンクリート製の躯体構造物は、図２に示されるように、下側階の床面１０に設けられる躯体支柱１１を有している。躯体支柱１１は柱鉄筋組立体１２と図示しないコンクリートとにより構成され、床面１０に柱鉄筋組立体１２を構築した後にその外側に柱型枠１３を配置し、柱型枠１３内にコンクリートを注入することにより躯体支柱１１が構築される。
【００１３】
水平方向に隣り合う躯体支柱１１の上端部相互間には、躯体梁２１ａ，２１ｂが構築される。図１に示されるように、紙面の上下方向（Ｘ方向）に伸びる躯体梁は符号２１ａで示されており、左右方向（Ｙ方向）に伸びる躯体梁は符号２１ｂで示されている。躯体支柱１１は図１に示されるようにマトリックス状に配置されており、図１においてＸ方向に示された躯体梁２１ａとＹ方向に示された躯体梁２１ｂにより、躯体梁は全体的に格子状に形成される。図１はオフィスビル等の建築物が構築されることになる躯体構造物の一部分を示しており、図１においては、符号Ｘ１〜Ｘ４で示すように躯体梁２１ａのうち４列の部分のみが示され、符号Ｙ１〜Ｙ４で示すように躯体梁２１ｂのうち４列の部分のみが示されている。図１に示されるそれぞれの躯体支柱１１は躯体梁が十字形状に連結されている。躯体構造物の角部に配置される躯体支柱１１には相互に９０度をなす２辺に躯体梁が連結されることになる。
【００１４】
図２に示す床面１０は、地下１階の床面を示しており、躯体支柱１１の上端部に構築される躯体梁２１ａ，２１ｂと床スラブとにより建築物の１階用のフロアー部分が構築される。ただし、床面１０が躯体構造物の１階である場合には、躯体構造物の上に建築物の２階用のフロアー部分が構築されることになる。
【００１５】
躯体梁２１ａ，２１ｂを構築するための梁型枠２２は、底壁２２ａと相互に対向する側壁２２ｂとを有し、上部が開放されている。梁型枠２２は柱型枠１３が床面１０に設けられた後に柱型枠１３に取り付けられ、側壁２２ｂの相互間の寸法により躯体梁２１ａ，２１ｂの横断面の幅寸法が設定される。梁型枠２２の上端部にはスラブ型枠２３が取り付けられるようになっており、図１には全ての梁型枠２２の相互間にスラブ型枠２３が取り付けられた状態を示す。図２において符号２３ａはスラブ型枠２３の表面を示す。
【００１６】
柱鉄筋組立体１２は、図３および図４に示される場合には、アンカー受け架台１４を有している。アンカー受け架台１４は、平面が四辺形となっており、上下方向に伸びる棒材１４ａにより四辺形の角部が形成され、上端部には四辺形の上部枠１４ｂが取り付けられている。アンカー受け架台１４の外側にはこれに対して隙間を隔てるとともに相互に隙間を隔てて複数の柱主筋１５が配置されている。アンカー受け架台１４は床面１０から突出したアンカーボルトに締結される。一方、柱主筋１５は床面１０から突出された図示しない下側の柱主筋の端部にガス圧接等の手段により接合される。
【００１７】
柱主筋１５には四辺形のフープ筋１６が水平方向を向いて取り付けられるようになっており、図４（Ｃ）に示されように、柱主筋１５はフープ筋１６の各辺に沿って一定間隔を隔てた状態となる。フープ筋１６は上下方向に所定の間隔で設けられるが、図３および図４においては、便宜的に一部のフープ筋１６のみが示されている。
【００１８】
梁型枠２２により形成される収容溝２４内には、図２に示されるように、梁鉄筋組立体２５が組み込まれ、梁鉄筋組立体２５が収容溝２４内に組み込まれた状態のもとで、コンクリートを収容溝２４内に注入することにより躯体梁２１ａ、２１ｂが構築される。梁鉄筋組立体２５は、垂直方向を向いた四辺形のスターラップ筋２６と、このスターラップ筋２６の上辺の内部に沿って水平方向に伸びる上側の梁鉄筋２７ａと、スターラップ筋２６の下辺の内部に沿って水平方向に伸びる下側の梁鉄筋２７ｂとを有している。それぞれの梁鉄筋２７ａ，２７ｂはスターラップ筋２６に対して直角となって１列に並んでおり、梁鉄筋２７ａ，２７ｂとスターラップ筋２６とをワイヤで結束することにより、梁鉄筋組立体２５が組み立てられる。
【００１９】
図示する梁鉄筋組立体２５は上側の梁鉄筋２７ａと下側の梁鉄筋２７ｂとを有するように示されているが、さらにそれぞれの梁鉄筋２７ａ，２７ｂの内側に１列ないし複数列に梁鉄筋を配置して梁鉄筋組立体２５が構成される。
【００２０】
躯体支柱１１の上端部には躯体梁２１ａ，２１ｂが交差するようになっており、躯体支柱１１の上端部にはアンカーボルトフレーム３０が図２に示されるように配置される。アンカーボルトフレーム３０はそれぞれ四辺形の下側枠体３１と上側枠体３２とを有し、下側枠体３１と上側枠体３２との間は、複数本のアンカーボルト３３により連結されている。アンカーボルトフレーム３０は梁型枠２２内に注入されるコンクリート内に埋め込まれるようになっており、埋め込まれた状態のアンカーボルトフレーム３０のアンカーボルト３３の上端には、図示しない建築物の鉄骨柱が連結されるようになっている。このように、アンカーボルトフレーム３０は躯体支柱１１とその上に建築される建築物の鉄骨柱とを連結するために、アンカーボルト３３の上端部を突出させた状態でコンクリート内に埋め込まれるようになっている。
【００２１】
上述のように、鉄筋コンクリート製の躯体構造物がその上に建築される建築物の１階のフロアーとなる場合には、アンカーボルトフレームに連結される鉄骨柱は１階部分を構成する支柱となる。
【００２２】
アンカーボルトフレーム３０の下側枠体３１に取り付けられたガイドロッド３４がアンカー受け架台１４に形成された貫通孔を貫通しており、図３に示されるように、アンカーボルトフレーム３０はアンカー受け架台１４の上部枠１４ｂに上下動自在に装着されている。アンカー受け架台１４とアンカーボルトフレーム３０とによりアンカーフレームが構成される。ガイドロッド３４はボルトにより形成されており、このガイドロッド３４の中間位置には、アンカー受け架台１４の上部枠１４ｂの上面に当接してアンカーボルトフレーム３０のアンカー受け架台１４に対する上下動位置を設定する位置調整ナット３５がねじ結合されている。さらに、上部枠１４ｂの下面に当接してガイドロッド３４が上部枠１４ｂから抜けるのを防止するためのストッパとしての抜け止めナット３６がガイドロッド３４の下端部にねじ結合されている。
【００２３】
図１に示されるように、下側枠体３１と上側枠体３２を連結するアンカーボルト３３はそれぞれの枠体の四隅に２本ずつ、合計８本設けられており、それぞれのアンカーボルト３３が上側枠体３２の上方に突出している。また、ガイドロッド３４は、図１に示されるように下側枠体３１の相互に平行な２辺に２本ずつ合計４本設けられている。
【００２４】
鉄筋コンクリート製の躯体構造物を構築するには、図２に示されるように、柱鉄筋組立体１２の外側に柱型枠１３が配置され、柱型枠１３に取り付けられた梁型枠２２内に梁鉄筋組立体２５が収容された状態のもとで、柱型枠１３内と梁型枠２２内にコンクリートを注入する。さらに、スラブ型枠２３の上側に格子状にスラブ鉄筋を配置した状態のもとで、スラブ型枠２３の上面にコンクリートが所定の厚みで注入される。これにより、鉄筋コンクリート製の躯体構造物が構築される。
【００２５】
躯体梁２１ａ，２１ｂを構築するには、梁鉄筋組立体２５を梁型枠２２の収容溝２４内に組み込むことになる。その組み込み操作を容易にするために、躯体構造物の上に建築物の鉄骨柱を取り付けるためのアンカーボルトフレーム３０と梁鉄筋組立体２５をスラブ型枠２３の表面２３ａから突出させた状態で組み立てるようにしている。
【００２６】
図１および図２に示した躯体構造物を構築する手順について、図３〜図５を参照して説明する。
【００２７】
図３（Ａ）はアンカーボルトフレーム３０が装着されたアンカー受け架台１４が、躯体構造物よりも下側の階の床面１０に固定された状態を示しており、アンカー受け架台１４は床面１０に埋め込まれた図示しないアンカーボルトに締結される。アンカーボルトフレーム３０のアンカー受け架台１４に対する上下方向の位置は、位置調整ナット３５により設定される。アンカー受け架台１４の外側には、図３（Ｂ）に示すように、柱鉄筋組立体１２が構築される。柱鉄筋組立体１２は、アンカー受け架台１４の外側に配置される柱主筋１５を有しており、柱主筋１５は床面１０から突出した図示しない柱主筋の突出端部にガス圧接等の接合手段により接合することにより床面１０側に取り付けられる。柱主筋１５の外側にはフープ筋１６が上下方向に所定の間隔を隔てて複数本配置され、それぞれのフープ筋１６は水平方向を向き、柱主筋１５に図示しないワイヤを用いて結束される。このように、柱鉄筋組立体１２は複数本の柱主筋１５と複数本のフープ筋１６とにより構成される。
【００２８】
床面１０に柱鉄筋組立体１２が、図３（Ｂ）に示すように、構築された後には、柱鉄筋組立体１２の外側には、図４に示されるように、柱型枠１３が配置される。柱型枠１３の内部は躯体支柱１１のサイズに対応しており、この中にコンクリートを注入すると、コンクリートと柱鉄筋組立体１２とにより躯体支柱１１が製造される。柱型枠１３には、図４に示されるように、梁型枠２２が取り付けられる。梁型枠２２により躯体梁２１ａ，２１ｂを成形するための収容溝２４が形成されており、収容溝２４は躯体梁２１ａ，２１ｂのサイズに対応している。収容溝２４内に梁鉄筋組立体２５を配置し、コンクリートを注入すると、梁鉄筋組立体２５とコンクリートとにより躯体梁２１ａ，２１ｂが製造される。梁型枠２２には図１に示されるようにスラブ型枠２３が取り付けられる。このスラブ型枠は、躯体梁２１ａ，２１ｂにより仕切られる床スラブの部分を成形するための型枠であり、スラブ型枠２３の上面に格子状等にスラブ鉄筋が配置され、配置されたスラブ鉄筋を埋め込むようにコンクリートが注入される。スラブ型枠２３の上側に注入されるコンクリートの表面と、梁型枠２２に注入されるコンクリートの表面とを一致させると、躯体構造物の表面は全体的に平坦となる。図４〜図６において符号Ｌはスラブ型枠２３の上に注入されるコンクリートの表面位置を示す。
【００２９】
アンカー受け架台１４には予めアンカーボルトフレーム３０が装着されており、アンカーボルトフレーム３０は柱鉄筋組立体１２の上端部に予め配置されている。この配置工程と、柱型枠１３の配置工程と、梁型枠２２の取付工程とが完了した後には、図５に示されるように、梁鉄筋組立体を組み立てる工程が実行される。なお、アンカーボルトフレーム３０の配置を柱型枠１３と梁型枠２２が製造された後に行うようにしても良い。
【００３０】
梁鉄筋組立体２５を組み立てるには、まず、図４に示されるように、スラブ型枠２３の表面に鉄筋吊り架台４１を配置する。この鉄筋吊り架台４１は４本の垂直支持脚４２とこれらを連結する吊り支持棒４３とを有しており、吊り支持棒４３には、巻上機やホイスト等からなる吊り上げ機４４が取り付けられている。この吊り上げ機４４はアンカーボルトフレーム３０の上側枠体３２に連結され、吊り上げ機４４によりアンカーボルトフレーム３０は、図４に示されるように、上昇移動される。アンカーボルトフレーム３０の上昇限位置は、抜け止めナット３６がアンカー受け架台１４の上部枠１４ｂに当接することにより規制される。
【００３１】
このように、アンカーボルトフレーム３０が上昇移動した状態のもとで、梁型枠２２の収容溝２４に沿って長手方向に所定の間隔毎に、水平支持棒４５が支持台として配置される。水平支持棒４５の高さは台座４６により調整され、水平支持棒４５の上下高さは、アンカーボルトフレーム３０の下側枠体３１よりも高い位置に設定される。なお、図４に示すように、アンカーボルトフレーム３０を上昇した状態のもとで、アンカーボルトフレーム３０を固定するために、アンカーボルトフレーム３０を図示しない棒材により吊り支持棒４３に締結する。図４には、躯体梁２１ａを成形するための梁型枠２２の収容溝２４を横切るように配置された１本の水平支持棒４５が示されている。水平支持棒４５は、それぞれの躯体梁２１ａ，２１ｂを成形するための梁型枠２２を横切るように複数本配置されることになる。
【００３２】
図４に示されるように、アンカーボルトフレーム３０を上昇させた状態のもとで、梁鉄筋組立体２５の組立作業がスラブ型枠の上に乗った作業者により行われる。まず、Ｘ方向の躯体梁２１ａを構築するには、支持台としての水平支持棒４５に、図６に示されるように、この図において紙面に垂直な方向の躯体梁２１ａを製造するための上側の梁鉄筋２７ａを配置する。図６に示す場合には、上側の梁鉄筋２７ａが水平支持棒４５の上に配置されるようになっており、それぞれの上側の梁鉄筋２７ａはアンカーボルトフレーム３０の下側枠体３１よりも上側となっている。上側の梁鉄筋２７ａには四辺形のスターラップ筋２６の上側の水平辺が接触した状態で、スターラップ筋２６が上側の梁鉄筋２７ａに沿って所定の間隔毎に配置される。次いで、スターラップ筋２６の内部には、その下側の水平辺に接触させて下側の梁鉄筋２７ｂが配置される。下側の梁鉄筋２７ｂはアンカーボルトフレーム３０の下側枠体３１よりも下側に配置され、それぞれのスターラップ筋２６と梁鉄筋２７ａ，２７ｂは、ワイヤにより結束される。このようにして、躯体梁２１ａを構築するための梁鉄筋組立体２５の組み立て作業が終了する。
【００３３】
次いで、図６において左右方向に伸びるＹ方向の躯体梁２１ｂを構築するための梁鉄筋組立体２５の組立作業が行われる。この組立作業は、上述した躯体梁２１ａの梁鉄筋組立体２５の組立と同様であり、躯体梁２１ｂの梁鉄筋組立体２５は躯体梁２１ａの上側の梁鉄筋２７ａの上側に配置される梁鉄筋２７ａと、これと平行な下側の梁鉄筋２７ｂとを有し、それぞれの梁鉄筋２７ａ，２７ｂにはスターラップ筋２６がワイヤにより結束される。
【００３４】
梁鉄筋組立体２５の組立作業は、作業者が図５，図６に示すようにスラブ型枠２３を利用してその表面２３ａにおいて作業者が行うことになる。このときには、梁鉄筋組立体２５の上下方向の約３分の２が表面２３ａよりも上方に突出しているので、梁鉄筋２７ａ，２７ｂの配置作業、スターラップ筋２６の配置作業、およびスターラップ筋２６と梁鉄筋２７ａ，２７ｂとの結束作業を作業者は容易に行うことができる。例えば、下側の梁鉄筋２７ｂとスターラップ筋２６との結束作業を行うときには、作業者は大きくかがむことなく、僅かに手を収容溝２４内に挿入するだけで、作業を行うことができる。
【００３５】
従来のように、型枠を取り付ける前に、梁鉄筋組立体２５を柱鉄筋組立体１２に組み付けるようにすると、梁鉄筋組立体２５の組立作業は床面１０に仮設足場を設けて行う必要があり、階高によりその作業が困難であった。これに対し、図５，図６に示すように、梁鉄筋組立体２５を構築する前に、梁型枠２２とスラブ型枠２３とを構築し、スラブ型枠２３を利用してその上に乗った作業者により梁鉄筋組立体２５の組立作業を行うことができる。しかも、図示しない建築物の鉄骨柱を連結するためのアンカーボルトフレーム３０を突出させることにより、梁鉄筋組立体２５の組立製造を梁鉄筋組立体２５を上昇させて型枠表面よりも突出させた状態で行うことができる。これにより、梁鉄筋組立体２５の組立作業性が良好となり、躯体構造物の構築作業を短期間で効率的に行うことができる。アンカーボルトフレーム３０を上昇させる位置としては、図５に示す位置よりも高い位置とし、例えば、梁鉄筋組立体２５の全体を型枠の表面２３ａよりも上方に突出させる位置までとすることも可能である。
【００３６】
このようにして、柱鉄筋組立体１２の外側への柱型枠１３の取付作業、柱型枠１３への梁型枠２２の取付作業、梁型枠２２内への梁鉄筋組立体２５の配置と、スラブ型枠２３の表面への鉄筋の配置作動とが完了した後には、それぞれの型枠内にコンクリートを注入することにより、鉄筋コンクリート躯体構造物が構築される。
【００３７】
図８は他の形態の柱鉄筋組立体１２を示す断面図である。上述した柱鉄筋組立体１２は、フープ筋１６により結束される柱主筋１５と、その内側に配置されるアンカー受け架台１４とにより構成されているが、図８に示す柱鉄筋組立体１２は、アンカー受け架台１４を有しておらず、柱主筋１５とこれに結束されるフープ筋１６とにより構成されている。このタイプの柱鉄筋組立体１２を有する躯体支柱１１に床上側支柱をアンカーボルトフレーム３０を介して連結するには、アンカー受けフレーム４７が使用される。
【００３８】
このアンカー受けフレーム４７は、柱型枠１３が柱鉄筋組立体１２の外側に取り付けられ、柱型枠１３に梁型枠２２が取り付けられた後に、柱型枠１３の上端部に装着される。アンカー受けフレーム４７は、柱型枠１３内に挿入される枠体４７ａと、これに対して段差を有し型枠表面に突き当てられるブラケット４７ｂとを有している。枠体４７ａには、アンカーボルトフレーム３０の下側枠体３１に取り付けられたガイドロッド３４が貫通するようになっている。このガイドロッド３４は枠体４７ａの１つの枠辺に１つ設けられているが、上述したように、１つの枠辺に２本のガイドロッド３４を設けるようにしても良い。
【００３９】
図８に示すように、アンカー受けフレーム４７を使用してアンカーボルトフレーム３０をコンクリートの中に埋め込むようにした形態においても、アンカーボルトフレーム３０を利用して上述と同様に梁鉄筋組立体２５を組み立てることができる。
【００４０】
本発明は前記実施の形態に限定されるものではなく、その要旨を逸脱しない範囲で種々変更可能である。図示する躯体構造物は、地下１階の上の階として構築されて１階フロアーを構成する場合であるが、地下１階のさらに下に地下２階やそれよりも深い地下構造物が構築される場合にも本発明の躯体構造物を構築することができる。
【符号の説明】
【００４１】
１０    床面
１１    躯体支柱
１２    柱鉄筋組立体
１３    柱型枠
１４    アンカー受け架台
１４ａ    棒材
１４ｂ    上部枠
１５    柱主筋
１６    フープ筋
２１ａ    躯体梁
２１ｂ    躯体梁
２２    梁型枠
２２ａ    底壁
２２ｂ    側壁
２３    スラブ型枠
２３ａ    表面
２４    収容溝
２５    梁鉄筋組立体
２６    スターラップ筋
２７ａ    梁鉄筋
２７ｂ    梁鉄筋
３０    アンカーボルトフレーム
３１    下側枠体
３２    上側枠体
３３    アンカーボルト
３４    ガイドロッド
３５    位置調整ナット
３６    抜け止めナット
４１    鉄筋吊り架台
４２    垂直支持脚
４３    吊り支持棒
４４    吊り上げ機
４５    水平支持棒
４６    台座
４７    アンカー受けフレーム
４７ａ    枠体
４７ｂ    ブラケット
【図１】
0005461492.tif 000002
【図２】
0005461492.tif 000003
【図３】
0005461492.tif 000004
【図４】
0005461492.tif 000005
【図５】
0005461492.tif 000006
【図６】
0005461492.tif 000007
【図７】
0005461492.tif 000008
【図８】
0005461492.tif 000009